(57)【要約】      （修正有）【課題】小物物品の吊り下げと大物物品の設置を一枚のボードで兼用することにより、使い勝手を向上させた物品懸架用有孔ボードおよびその物品取付構造を提供する。【解決手段】壁面９に所定間隔をおいて固定される所定縦横寸法の板材の表裏を貫通して小径の孔３と大径の孔２を交互に一定間隔をおいて多数開穿した。小径孔３と大径孔２は行方向にそれぞれ単一に、列方向に交互に開穿した。【選択図】図４
0003205610.tif 000002
【実用新案登録請求の範囲】
【請求項１】
壁面に対し所定間隔をおいて固定される所定縦横寸法の板材の表裏を貫通して小径の孔と大径の孔を交互に一定間隔をおいて多数開穿したことを特徴とする物品懸架用有孔ボード。
【請求項２】
前記小径孔と大径孔は行方向にそれぞれ単一に、列方向に交互に開穿したものであることを特徴とする請求項１記載の物品懸架用有孔ボード。
【請求項３】
前記小径孔と大径孔は行および列方向とも交互に開穿したものであることを特徴とする請求項１記載の物品懸架用有孔ボード。
【請求項４】
請求項１〜３のいずれか１つに記載の物品懸架用有孔ボードを用いた物品取付構造において、住宅内の壁面に固定される前記有孔ボードであって、前記小径孔に装填されたフックを介して小物物品を吊り下げるとともに、前記大径孔の水平方向における２ないし複数箇所に装填された腕木上に物品展示用の飾り棚を設置したことを特徴とする物品懸架用有孔ボードを用いた物品取付構造。
【考案の詳細な説明】
【技術分野】
【０００１】
本考案は物品懸架用有孔ボードおよびそれを用いた物品取付構造に関し、特に小物物品の吊り下げと大物物品の吊り下げや棚板に対する設置を一枚のボードで兼用できるようにしたものである。
【背景技術】
【０００２】
物品懸架する有孔ボードは、特許文献１に示すように、所定縦横寸法の板材に縦横多数の小孔を等間隔に穿孔したものであり、屋内における居室内壁面に、例えば台所などの壁面に固定し、小孔に装填されるフックを介して匙、包丁、お玉杓子等の台所用小物や、水切り、タオル掛け用のラック等を吊り下げたり、或いは室内において鍵や腕時計、鞄、折畳傘等を取り外し可能に吊り下げるものである。また工作室などの場合には、ペンチその他工具を取り外し可能に吊り下げておく場合もある。
【０００３】
これに対し棚などを取り付けるための有孔ボードもある。これは居間やリビングルームの壁面に取り付けておくもので、前記より大径の孔を縦横多数にあけたものであって、その横方向の孔の２ないし複数に腕木（だぼ）を装填し、この腕木上に棚板を乗せたうえで、棚上に装飾物品その他実用品などを設置展示するものである。
【０００４】
前者の場合には目につきやすく、取り付け取り外しが自由であるという実用性に主眼を置き、後者の場合にはある程度の重量があり装飾性や審美的な観点から設置されるが、いずれにおいてもこれら有孔ボードはホームセンターなどで取付金具およびフックや腕木等の付属品とともにユニット商品として販売されているか、あるいは新築時などにおいて内装業者らによって立て付けの建具として設置される。
【先行技術文献】
【特許文献】
【０００５】
【特許文献１】特開２００３−３２５３０６号公法
【考案の概要】
【考案が解決しようとする課題】
【０００６】
しかし、小径孔だけのもの、あるいは大径孔だけの有孔ボードであると、用途がそれ専用に限られ、間違えて購入すると、後で交換する必要が生ずる。また店舗側としては小径孔の有孔ボードと大径孔の有孔ボードとの２倍の在庫をかかえることになり、有孔ボードそのものは２×４材あるいは２×２材とかなり大きいため、これを立てかけておくための商品展示スペースも大きくとる。さらには建具としてあらかじめ住居の壁面に固定した場合には大小いずれかとなるため、転用ができず使い勝手が悪い。
【０００７】
本考案は以上の課題を解決するものであり、その目的は小物物品の吊り下げと大物物品の設置を一枚のボードで兼用することにより、使い勝手を向上させた物品懸架用有孔ボードおよびその物品取付構造を提供するものである。
【課題を解決するための手段】
【０００８】
次に、上記の課題を解決するための手段を、実施の形態に対応する図面を参照して説明する。
本考案の請求項１記載の物品懸架用有孔ボードは、壁面に対し所定間隔をおいて固定される所定縦横寸法の板材の表裏を貫通して小径の孔３と大径の孔２を交互に一定間隔をおいて多数開穿したことを特徴とするものである。
【０００９】
請求項２記載の物品懸架用有孔ボードは、請求項１記載の物品懸架用有孔ボードにおいて、前記小径孔３と大径孔２は行方向にそれぞれ単一に、列方向に交互に開穿したものであることを特徴とする。
【００１０】
請求項３記載の物品懸架用有孔ボードは、請求項１記載の物品懸架用有孔ボードにおいて、前記小径孔３と大径孔２は行よび列方向とも交互に開穿したものであることを特徴としする。
【００１１】
請求項４記載の物品懸架用有孔ボードを用いた物品取付構造は、請求項１〜３のいずれか１つに記載の物品懸架用有孔ボードを用いた物品取付構造において、住宅内の壁面に固定される前記有孔ボード１であって、前記小径孔３に装填されたフックを介して小物物品を吊り下げるとともに、前記大径孔２の水平方向における２ないし複数箇所に装填された腕木１０上に物品１２展示用の飾り棚１１を設置することを特徴とする。
【考案の効果】
【００１２】
したがって、本考案の請求項１記載の物品懸架用有孔ボードでは、小物物品の吊下用ボード材としても、物品の設置用棚の取り付け用としても、あるいはこれらが混在したボードとしても活用できる。
【００１３】
請求項２記載の物品懸架用有孔ボードでは、列方向に大径孔あるいは小径孔が配列されているので、腕木の位置調整を微細にでき、棚板の大きさに微細に適合したり、小物の吊り下げの集積密度が高い。
【００１４】
請求項３記載の物品懸架用有孔ボードでは、フック取付位置と棚板取付位置を水平方向に限定されずに選択でき、混在の自由度が高い。
【００１５】
請求項４記載の物品懸架用有孔ボードを用いた物品取付構造では、フックおよび腕木、棚板をユーザの目的用途に応じて取り揃えておくことにより、住宅内における壁面に対して、その居室内に合わせて好みのデザインや、配置でボード面を造形、演出することができる。
【図面の簡単な説明】
【００１６】
【図１】住居内の壁面に本考案の有孔ボードを配置した状態を示す説明用間取り図である。
【図２】同有孔ボード単体の一部を切り欠いて示す正面図および円内拡大図である。
【図３】（ａ）は同有孔ボードの壁面に対する取付構造を示す部分斜視図、（ｂ）は同取付状態を示す部分断面図図である。
【図４】（ａ）は同有孔ボードの使用状態を斜視図、（ｂ）同フックおよび腕木の取付状態を示す部分断面図である。
【図５】同有孔ボードに鍵取り付け用のフックおよびタオル掛け用フックを取り付けた状態の斜視図である。
【図６】同有孔ボードに物品設置用の棚板を取り付けた状態の斜視図である。
【考案を実施するための形態】
【００１７】
以下、本考案を適用した実施の形態例を添付図面を用いて説明する。
図１は有孔ボードの配置例を示すもので、玄関脇の壁面、洋室（１）、（２）の壁面、洗面室の出入り脇壁壁面、キッチン内およびその出入り口脇の壁面、リビングダイニングの壁面等、室内壁面における居住者の好みの位置で本考案に係る物品懸架用有孔ボード１( 以下単にボード１と略記する）が固定される。なお、この図１では集合住宅の間取りを例としている。
【００１８】
ボード１は、新築建築時に、予め居室内壁面に固定されていても良いが、居住者の好みの位置で固定、すなわち居住を始めてから必要な箇所に取り付けることとしも良く、各部屋の必要な箇所の壁面に、必要な大きさで固定される。
【００１９】
ボード１は図１に示すように、例えばシナ合板を素材とし、取付壁面の大きさや、用途に応じて縦横寸法が定められるものであって、実寸で１８２５ｍｍ×９１５ｍｍ、またはその１／２〜１／４等の各種寸法に予め造形されたもので、厚みは４ｍｍ、５．５ｍｍ、９ｍｍと、壁面に対する取付強度や、物品の支持強度などに応じて種々用意される。なお、ボード１の表面は、その素材である木目を活かしたものや、白色などに塗装されたもの、或いは所望の色やデザインなどの色柄を印刷形成したプリント合板などとされる。
【００２０】
また、ボード１には、図２に示すように、列方向（縦方向、経方向）においては大径孔２と小径孔３がその孔の中心から所定の間隔をおいて交互に多数開穿され、行方向（横方向、緯方向）には同一の径の孔２・・・、３・・・が所定間隔で多数開穿されている。その縦横の各間隔は、本実施の形態では、孔中心から２５ｍｍ間隔とされる。さらに、本実施形態では、大径孔２の孔径は８ｍｍ、小径孔３の孔径は５ｍｍと設定されている。
【００２１】
ボード１の四隅に位置する孔は、例えば大径孔２が位置しており、これを貫通する取付金具４を介して壁面に固定される。図３（ａ），（ｂ）はその取付構造を示すもので、取付金具４は、大径孔２を貫通する皿ねじ５と、大径孔２を挟んでボード１の背面に配置されるスペーサ６と、ねじ５の頭部に配置される座金７と、座金７の外周にねじ込まれる飾り用キャップ８とを備えている。取付完了状態では、ボード１は壁部９の表面との間にスペーサ６が介設されて、このスペーサ６の長さにて所定の隙間寸法Ｄとされて離間して壁面に固定される。この固定を行うための実寸法としては、ねじ５の長さを６０ミリ、スペーサ６の直径は１２ｍｍ、長さ１５ｍｍとされる。スペーサ６はねじ貫通用の孔を中心に形成した所謂管形状とされる。従って固定後の壁部９とボード１の隙間寸法Ｄは１５ｍｍとなる。なお、壁部９がボード材であればねじ５は通常のものが使用されるが、コンクリートである場合にはコンクリート用ねじ等が使用される。
【００２２】
次に、以上説明したボード１の用途を説明する。
まず、図４は大径孔２、小径孔３をともに利用した例を示している。水平方向に並ぶ２つ或いは複数の大径孔２，２に、それぞれダボとなる腕木１０を挿着する。このとき、隣接する大径孔２ではなく、所定距離離れた水平方向の大径孔２を選択する。
【００２３】
腕木１０は、挿着先端が壁部９に当接し（図４（ｂ）参照）、片持ち状にボード１表面から突出する。これら腕木１０上に棚板１１を載せ、設置すれば物品１２の設置用の飾り棚としての使用ができる（図４（ａ）参照）。
【００２４】
一方、小径孔３にはフック１３を引っ掛け係止し、これに鍵などの小物物品１４を吊下することができる。また、フック１３以外のものとして、例えば図４（ａ）に示すような一対のフック状先端を有しコ字状に形成されたタオル掛け用ハンガー１５なども小径孔３に取り付けることが出来る。そのほか、線細工製品からなる各種フックを懸架出来るが、いずれにおいてもこれらフック１３やハンガー１５には特に図４（ｂ）に示すように挿着先端に上向きに折曲形成された返し１３ａ，１５ａを有することにより小径孔３からの脱落が防止される。また、同じく図４（ｂ）に示すように、腕木１０は壁部９の壁面に挿通先端が当接することでボード１に略直交して水平支持されることになる。
【００２５】
また、図５は、ボード１における小径孔３のみを小物吊り下げ用に利用した場合を示し、この場合には玄関脇やキッチンにボード１を設置した場合に、鍵置き場や台所小物用品の吊り下げ用として利用できる。さらに図６はボード１における大径孔２のみを利用して物品１２の展示用の棚板１１を設置した場合を示しており、これは居室、リビングダイニングの飾り棚としての利用ができる。すなわち、これら図５，図６に示すように、大径孔２、小径孔３のいずれかのみを使用することにも対応でき、例えば大径孔２用のダボ等だけを使用する、或いは小径孔３用のフック等のみを使用する際にも使用でき、用途に応じてボード１を使い分けることができる。
【００２６】
なお上述した本実施の形態では、行方向（横方向、緯方向）に、大径孔２と小径孔３をそれぞれ単一として配列し、列方向（縦方向、経方向）で大径孔２と小径孔３が交互に配列される形態としたが、いずれの方向でも交互配列する形態としても良い。
【符号の説明】
【００２７】
１…有孔ボード
２…大径孔
３…小径孔
４…取付金具
９…壁部
１０…腕木
１１…棚板
１２…物品
１３…フック
１４…小物物品
１５…ハンガー
【図１】
0003205610.tif 000003
【図２】
0003205610.tif 000004
【図３】
0003205610.tif 000005
【図４】
0003205610.tif 000006
【図５】
0003205610.tif 000007
【図６】
0003205610.tif 000008